(57)【要約】【課題】  自動車用表示装置は、複数の搭載が必要となるものの、ダッシュボード上に装着されることから、前方の視野を一部遮ることもあり、安全上、好ましくなかった。また１つの表示装置で種々の項目の状態を表示可能とするものも開発されているが、表示の変更操作が必要となり面倒であった。【解決手段】  透明素材から成り、一対の電極間にＥＬ層が配され、当該ＥＬ層の発光により自動車の稼働状態を表示する第１の表示板と、表面に配された回動する指針と指標部により自動車の稼働状態を表示する第２の表示板と、前記第１の表示板と第２の表示板を支持する筐体とを有し、前記第１の表示板は、前記第２の表示板の前方にて前記筐体に支持されることで、重畳表示が可能となり、自動車の稼働状態を複数の項目において瞬時に確認することができる。【選択図】図９
2018070131.tif 000002
【特許請求の範囲】
【請求項１】
透明素材から成り、一対の電極間にＥＬ層が配され、当該ＥＬ層の発光により自動車の稼働状態を表示する第１の表示板と、
表面に配された回動する指針と指標部により自動車の稼働状態を表示する第２の表示板と、
前記第１の表示板と第２の表示板を支持する筐体と、
を有し、
前記第１の表示板は、前記第２の表示板の前方にて前記筐体に支持されることを特徴とする自動車用表示装置
【請求項２】
前記第２の表示板は、前記筐体に着脱可能に支持されることを特徴とする請求項１に記載の自動車用表示装置。
【請求項３】
前記第１の表示板と第２の表示板が同一サイズであることを特徴とする請求項１または２に記載の自動車用表示装置。
【請求項４】
前記第１の表示板は、前記第２の表示板の指針の回動に連動して前記稼働状態を表示することを特徴とする請求項１乃至３に記載の自動車用表示装置。
【発明の詳細な説明】
【技術分野】
【０００１】  本発明は、例えば自動車のダッシュボードに搭載され、自動車の稼働状態を表示する表示装置に関するものである。
【背景技術】
【０００２】  従来より、自動車のダッシュボードにオプションの装置として搭載される自動車用表示装置が開発されており、例えばエンジンの稼働に関わる吸気圧、水温、油温、油圧等各種項目の状態について計測・表示するものが、例えば特開２０００−７１８１４号公報等に開示されている。これら表示装置は主にダッシュボード上部に台座を用いて装着される。
【先行技術文献】
【特許文献】
【０００３】
【特許文献１】特開２０００−７１８１４号
【発明の概要】
【発明が解決しようとする課題】
【０００４】  しかしながら、これら自動車用表示装置は、上記したように種々の項目において必要なことから複数の表示装置の搭載が必要となるものの、自動車のダッシュボード上に装着されることから、前方の視野を一部遮ることとなり、複数の表示装置を搭載することは安全上、好ましくなかった。また１つの表示装置で種々の項目の状態を表示可能とするものも開発されているが、表示項目の変更操作が必要となり面倒であった。【０００５】そこで、本発明は、複数の表示装置を搭載することなく、自動車の稼働状態を複数の項目において瞬時に確認することができる表示装置を提供するものである。
【課題を解決するための手段】
【０００６】  本発明は、前記課題を解決するため、本発明の自動車用表示装置は、透明素材から成り、一対の透明電極間にＥＬ層が配され、当該ＥＬ層の発光により自動車の稼働状態を表示する第１の表示板と、表面に配された回動する指針と指標部により自動車の稼働状態を表示する第２の表示板と、前記第１の表示板と第２の表示板を支持する筐体と、を有し、前記第１の表示板は、前記第２の表示板の前方にて前記筐体に支持されることを特徴としている。【０００７】  前記第２の表示板は、前記筐体に着脱可能に支持されることを特徴としている。【０００８】  前記第１の表示板と前記第２の表示板は、同一サイズであることを特徴としている。【０００９】  前記第１の表示板は、前記第２の表示板の指針の回動に連動して前記稼働状態を表示することを特徴としている。【００１０】
【発明の効果】
【００１１】  本発明は、第１の表示板と第２の表示板の重畳表示が可能であることから、複数の表示装置を搭載する必要がなく、自動車の稼働状態を複数の項目において瞬時に確認することができる。【００１２】  また、本発明は、前記第２の表示板は、前記筐体に脱着可能に支持されることにより、他の項目に関する第２の表示板と交換することができ、種々の項目に対応して表示することができる。【００１３】  また、本発明は、第１の表示板と第２の表示板が同一サイズであることから、本装置をコンパクトに構成することができる。【００１４】  さらに、前記第１の表示板は、前記第２の表示板の指針の回動に連動して前記稼働状態を表示することにより、自動車の稼働状態をより明確に表示することができる。
【図面の簡単な説明】
【００１５】
【図１】本発明の自動車用表示装置の構成図１
【図２】同自動車用表示装置とコントロールボックス及びセンサに関するブロック図
【図３】同第１の表示手段の正面図及び側面図
【図４】同第１の表示手段の側面図及び背面図
【図５】同筐体の断面図
【図６】同自動車用表示装置の構成図２
【図７】同自動車用表示装置の側面図及び背面図
【図８】同自動車用表示装置の稼働状態の正面図１
【図９】同自動車用表示装置の稼働状態の正面図２
【図１０】同自動車用表示装置の稼働状態の斜視図
【発明を実施するための形態】
【００１６】  以下、本発明の実施の形態を図１〜図１０に基づいて説明する。
【００１７】  図１においては、２は第１の表示手段であり、後に説明する透明電極層と無機ＥＬ層により発光するセグメント４を配した透明素材で形成される略円形の第１の表示板３と、前記電極層に給電するためのフレキシブルケーブル２１，２２と基板２４を収納する筐体５から構成され、台座６を下方に備えている。また、７は第２の表示手段で、回動する指針１０と複数の指標１１を表面に配した略円形の第２の表示板８と、図示しないパルスモーター等を用いた指針１０の回動手段から構成される。
【００１８】  第２の表示手段はその下方に設けられた係合手段１３により筐体５に係合され、さらに嵌合フレーム１２を、第１の表示板３と第２の表示手段の前方外周部９を内部に収容させながら、筐体５の下方に設けられた係合手段１４に対し係合させることで、第１の表示手段２と第２の表示手段７が筐体５を介して一体化される。なお、第２の表示手段７は筐体５に対して脱着が可能である。
【００１９】  図２は本発明の自動車用表示装置１を制御・作動させるための手段構成を示すもので、制御手段（ＣＰＵ）１６とを搭載するコントロールボックス１５において、制御手段１６が自動車の内部に設置された各種センサ１８ａ〜１８ｅから送られてきた各種温度、圧力等の数値情報を取得し、その情報に基づき表示装置１を作動させ表示を行っている。また、第１の表示手段２においてはセグメント４により種々の項目での表示が可能であることから、コントロールボックス１５に装備されたコントローラ１７を使用して、表示させる項目等を任意に選択することができる。尚、第２の表示手段７は予め表示させる項目が設定されていることからコントローラ１７にて項目を変更することはできないものの、第１の表示手段２での選択により少なくとも２つの項目に関する情報を同時に表示することができる。また第２の表示手段７を種々の項目にて用意し、交換することで表示する項目のバリエーションが多種となる。
【００２０】  図３は第１の表示手段２において、第１の表示板３に配された無機ＥＬ層によりセグメント４ａ，４ｂにて発光・表示させるための手段構成を示すものである。図示はしないが、第１の表示板３の形成において、樹脂またはガラスから成る２枚の透明板の間に第１の透明電極層及びセグメント単位で構成された第２の透明電極層（一対の電極層）と、その間に透明絶縁層と無機ＥＬ層を設けており、第１の透明電極層及びセグメント単位で構成された第２の透明電極層に印加する際に、前記セグメント単位ごとに制御しながら印加することで所定のセグメントでの発光・表示を行うものである。
【００２１】  セグメント４は図に示すように文字セグメントである４ａと，図形セグメントである４ｂが形成されており、あらかじめ必要とされる表示項目等全てのセグメント４ａ，４ｂを第１の表示板３に形成しておく。
【００２２】  前記第１の透明電極層及びセグメント単位で構成された第２の透明電極層にはそれぞれフラットケーブル２１，２２が接続されており、コネクタ２３を介して基板２４に接続されている。また基板２４の端部にはレセクタブル２６が接続されている。
【００２３】  図４は、第１の表示手段２の側面図及び背面図を、また図５は筐体５の断面図である。筐体５の上方には、前記係合手段１４が係合する係合孔３３と、第２の表示手段７が係合するためのガイド溝３１が左右２カ所に設けられている。
【００２４】  第１の表示板３については筐体５の前方に固定されるとともに、前述した、フラットケーブル２１，２２、コネクタ２３及び基板２４が筐体５内に収容され、レセクタブル２６は筐体５の後方穴から突出し、コントロールボックス１５から配線されたケーブルが接続され、第１の表示板３の発光・表示を制御する。
【００２５】  図６及び７は、第２の表示手段７と嵌合フレーム１２が第１の表示手段２を介して嵌合する状態を示したもので、第２の表示手段７の突起３２をガイド溝３１に当接させながら前方に移動させることで、係合孔３３へ係合手段１４が係合する。その後、前方から嵌合フレーム１２が前記前方外周部９に嵌合され、第１の表示手段２と第２の表示手段７が一体化される。
【００２６】  第１の表示板３と第２の表示板８は略円形でほぼ同一のサイズであり、第１の表示板３は第２の表示手段の前方外周部９内に緊密に収容できることで、本表示装置１はコンパクトに形成でき、最小限の大きさとすることができる。
【００２７】  本表示装置１の背面略中央には、コントロールボックス１５から配線された別のケーブルが接続されるレセクタブル３４が形成され、第１の表示手段２と同様に、第２の表示板８の指針の回動による表示を制御する。
【００２８】  図８は、本発明の自動車用表示装置１の稼働状態を表した正面図である。本自動車用表示装置１の第２の表示板８はエンジンオイルの油圧を表示するものであり、コントロールボックス１５からの信号によってパルスモーターが作動することで指針１０が回動し、油圧（ＯＩＬ．Ｐ：４８０ｋＰａ）を示している。また、第１の表示板３は、コントローラ１７の設定により、エンジンオイルの油温を表示するように設定され、同じくコントロールボックス１５からの信号によって、所定のセグメント４において無機ＥＬ素子により発光部４１ａを形成し、油温（ＯＩＬ．Ｔ：１００°Ｃ）を示している。
【００２９】  第１の表示板３の上方には、表示設定が油温であることを示す「ＯＩＬ．Ｔ」の文字の発光部４１ａが形成されるとともに、中央には、油温が１００度であることを示す「１００°ｃ」の文字の発光部４１ａが形成され、ドライバーに対し油温を表示している。発光部４１ａは、イエロー系の色で発光しており、例えば指針１０上に重畳しても、透過して指針１０の動きを確認することができ、ドライバーは瞬時に油圧及び油温の状態を確認することができる。
【００３０】  図９は、本発明の自動車用表示装置１の別の態様を表した正面図である。第２の表示板８の態様と第１の表示板３における文字の発光部４１ａの態様については、図８の態様と同様であるが、さらに第１の表示板３のセグメント４ｂにおいて円弧形状の発光部４１ｂが形成されている。当該発光部４１ｂは、コントロールボックス１５における設定により、第２の表示板８におけるエンジンオイルの油圧の変位に応じて点滅するように制御され、指針１０の動きに発光部４１ｂが連動する。この発光部４１ｂの点滅による動きにより、ドライバーは油圧の変位をより明確に確認することができる。
【００３１】  なお、本自動車用表示装置は、図１０に示すように、第１の表示手段２のみで作動させることも可能で、その際には発光部４１ａ，４１ｂの照度を高くして視認しやすくすることも可能である。
【００３２】  以上説明したように、本発明の自動車用表示装置は、無機ＥＬの発光により、自動車の稼働状態を表示する第１の表示板３と、表面に配された回動する指針１０と指標部１１により自動車の稼働状態を表示する第２の表示板８がそれぞれ筐体５に支持され、かつ第１の表示板３は、第２の表示板８の前方にて支持されていることから、第１の表示板３と第２の表示板８の重畳表示が可能であり、複数の表示装置を搭載する必要がなく、自動車の稼働状態を複数の項目において瞬時に確認することができる。
【００３３】  また、前記第２の表示板８は、前記筐体５に脱着可能に支持されることにより、他の項目に関する第２の表示板８と交換することができ、種々の項目に対応して表示することができる。
【００３４】  また、本発明は、第１の表示板３と第２の表示板８が同一サイズであることから、本装置をコンパクトに構成することができる。
【００３５】  さらに、前記第１の表示板は、前記第２の表示板の指針の回動に連動して前記稼働状態を表示することにより、自動車の稼働状態をより明確に表示することができる。
【００３６】  以上、本発明の実施例を図面により説明してきたが、具体的な構成はこれら実施例に限られるものではなく、本発明の要旨を逸脱しない範囲における変更や追加があっても本発明に含まれる。
【００３７】  例えば、第２の表示板８上にデジタル表示枠を設け、別の項目について数値を表示してもよい。また、同様に第１の表示手段２に複数の項目の数値を表示することも可能であり、これらの態様により同時に３つ以上の項目における状態を確認することができる。
【００３８】  また、発光素子として無機ＥＬを使用したが、有機ＥＬを使用してもよい。
【符号の説明】
【００３９】１                自動車用表示装置
２                第１の表示手段
３                第１の表示板
４（４ａ，４ｂ）  セグメント
５                筐体
６                台座
７                第２の表示手段
８                第２の表示板
１０              指針
１１              指標
１３，１４        係合手段
１５              コントロールボックス
１６              制御手段
１７              コントローラ
１８              センサ
２１，２２        フレキシブルケーブル
２４              基板
２６，３４        レセクタブル
３１              ガイド溝
４１ａ，４１ｂ    発光部
【図１】
2018070131.tif 000003
【図２】
2018070131.tif 000004
【図３】
2018070131.tif 000005
【図４】
2018070131.tif 000006
【図５】
2018070131.tif 000007
【図６】
2018070131.tif 000008
【図７】
2018070131.tif 000009
【図８】
2018070131.tif 000010
【図９】
2018070131.tif 000011
【図１０】
2018070131.tif 000012